(57)【要約】【課題】本発明は端末機のメッセージ運用機能に関する。【解決手段】本発明は複数個のメッセージを出力する過程、上記複数個のメッセージを集約するように指示する既設定された入力イベント受信過程、上記入力イベントによって複数個のメッセージのうちで少なくとも一部を集約するが、少なくとも１つの同一使用者ＩＤ別で集約して集約メッセージを生成する集約過程を含むことを特徴とするメッセージ運用方法とこれを支援する端末機の構成を開示する。【選択図】図４
2014044723.tif 000002
【特許請求の範囲】
【請求項１】
複数個のメッセージを出力する過程;
前記複数個のメッセージを集約するように指示する既設定された入力イベントを受信する過程;
前記入力イベントによって複数個のメッセージのうちで少なくとも一部を集約する過程であって、少なくとも１つの同一使用者識別情報を確認し、前記同一使用者識別情報別で前記複数個のメッセージのうちで少なくとも一部を集約して集約メッセージを生成する、集約過程;を含むことを特徴とするメッセージ運用方法。
【請求項２】
前記集約過程は、
前記複数個のメッセージに係る少なくとも１つの使用者識別情報のうちで特定使用者識別情報に該当するメッセージのみを集約する過程;
前記複数個のメッセージに係る複数の使用者識別情報それぞれに該当するメッセージを集約して複数個の集約メッセージを生成する過程;のうちのいずれか１つの過程を含むことを特徴とする、請求項１に記載のメッセージ運用方法。
【請求項３】
前記複数個のメッセージのうちで集約のために一部メッセージを指定する集約範囲を設定する過程;
をさらに含み、
前記集約過程は、
前記集約範囲に含まれたメッセージを集約して集約メッセージを生成する過程;であることを特徴とする、請求項１に記載のメッセージ運用方法。
【請求項４】
前記集約過程は、
前記集約範囲の開始メッセージに係る使用者識別情報、及び、前記集約範囲の最終メッセージに係る使用者識別情報のうちで少なくとも１つの使用者識別情報のメッセージを集約する過程;であることを特徴とする、請求項３に記載のメッセージ運用方法。
【請求項５】
前記集約範囲設定過程は、
前記集約範囲に含まれた開始メッセージ及び最終メッセージを指定するためのマルチタッチイベントを受信して当該のマルチタッチイベントによって集約範囲を設定する過程;
現在画面に表示されたメッセージを集約範囲として設定する過程;
前記複数個のメッセージのうちで選択された特定メッセージから最近受信されたメッセージまでを集約範囲として設定する過程;
特定日付に送信されたメッセージを集約範囲として設定する過程;
前記複数個のメッセージのうちで選択されたメッセージの前、或いは後に配置されたメッセージのうちで事前定義された一定個数のメッセージを集約範囲として設定する過程;のうち、少なくとも１つを含むことを特徴とする、請求項３に記載のメッセージ運用方法。
【請求項６】
前記集約過程は、
前記開始メッセージ及び最終メッセージのうちのいずれか１つを指定したタッチイベントが変更された移動タッチイベントを前記集約を指示する入力信号として受信し、前記入力信号によって前記集約範囲のメッセージを集約する過程;
前記マルチタッチイベントのうちで前記移動タッチイベント方向に位置した開始メッセージまたは最終メッセージ位置に前記集約メッセージを出力する過程であって、前記集約メッセージを他のメッセージと区分されるように表示する過程;をさらに含むことを特徴とする、請求項３に記載のメッセージ運用方法。
【請求項７】
前記集約範囲に含まれた開始メッセージ及び最終メッセージのうちで少なくとも１つを指定するためのマルチタッチイベントを受信する時、前記マルチタッチイベントによって指定されたメッセージと同一使用者識別情報を有するメッセージを他のメッセージと区分されるように表示する過程;をさらに含むことを特徴とする、請求項３に記載のメッセージ運用方法。
【請求項８】
前記入力イベント受信過程は、
開始メッセージ及び最終メッセージで定義される一定範囲の開始メッセージを選択するタッチイベントを受信する過程;
現在画面に表示されていない最終メッセージを検索するためのスクロールイベントを受信する過程;
前記スクロールイベントによって現在画面に表示された前記最終メッセージを選択するタッチイベントを受信する過程;を含むことを特徴とする、請求項１に記載のメッセージ運用方法。
【請求項９】
前記選択された開始メッセージを含む領域と前記最終メッセージ検索のためのスクロールイベントが入力される領域を分割する過程をさらに含むことを特徴とする、請求項８に記載のメッセージ運用方法。
【請求項１０】
前記集約メッセージを画面片側に表示する過程;
前記集約メッセージを分離させるための事前定義された入力信号を受信する過程;
前記集約メッセージを貯蔵する時、共に貯蔵される各メッセージの時間情報及び現在表示された他のメッセージの時間情報を確認する過程;
前記時間情報を基づいて前記集約メッセージを分離して再整列する過程;をさらに含むことを特徴とする、請求項１に記載のメッセージ運用方法。
【請求項１１】
前記集約メッセージを送信するための入力信号を受信する過程;
前記入力信号受信によって前記集約メッセージを前記メッセージグループに属した複数の使用者のうちで少なくとも１つの使用者の端末機、入力信号によって指定された特定使用者の端末機、前記複数個のメッセージを集約するように支援する端末機が運用する特定アプリケーションのうちで少なくとも１つに伝達する過程;をさらに含むことを特徴とする、請求項１に記載のメッセージ運用方法。
【請求項１２】
前記集約メッセージが表示された領域上で発生する既設定されたタッチイベントを受信する過程;
前記既設定されたタッチイベントが指定した一部内容を含むメッセージを前記集約メッセージから削除する過程;をさらに含むことを特徴とする、請求項１に記載のメッセージ運用方法。
【請求項１３】
複数個のメッセージを集約するように指示する既設定された入力イベントを生成する入力部及び入力機能の表示部のうちで少なくとも１つを含む入力手段;
前記入力イベントによって複数個のメッセージのうちで少なくとも一部を集約する制御部であって、少なくとも１つの同一使用者識別情報別で前記複数個のメッセージのうちで少なくとも一部を集約して集約メッセージを生成する、制御部;
前記複数個のメッセージ及び前記集約メッセージを出力する表示部;を含むことを特徴とする、メッセージ運用を支援する端末機。
【請求項１４】
前記制御部は、
前記複数個のメッセージを提供した少なくとも１つの使用者識別情報のうちで特定使用者識別情報に該当するメッセージのみを集約して集約メッセージを生成し、
前記複数個のメッセージを提供した複数の使用者識別情報それぞれに該当するメッセージを集約して複数個の集約メッセージを生成することを特徴とする、請求項１３に記載のメッセージ運用を支援する端末機。
【請求項１５】
前記入力手段は、
前記複数個のメッセージのうちで集約のために一部メッセージを指定する集約範囲設定のための入力イベントを生成し、
前記制御部は、
前記集約範囲に含まれたメッセージを集約して集約メッセージを生成することを特徴とする、請求項１３に記載のメッセージ運用を支援する端末機。
【請求項１６】
前記制御部は、
前記集約範囲の開始メッセージに係る使用者識別情報、及び、前記集約範囲の最終メッセージに係る使用者識別情報のうちの少なくとも１つの使用者識別情報のメッセージを集約することを特徴とする、請求項１５に記載のメッセージ運用を支援する端末機。
【請求項１７】
前記集約範囲は、
前記入力手段によって入力されたマルチタッチイベントによって開始メッセージ及び最終メッセージが指定された集約範囲;
現在表示部画面に表示されたメッセージを含む集約範囲;
前記複数個のメッセージのうちで選択された特定メッセージから最近受信されたメッセージまでを含む集約範囲;
特定日付に送信されたメッセージを含む集約範囲;
前記複数個のメッセージのうちで選択されたメッセージの前、或いは後に配置されたメッセージのうちで事前定義された一定個数のメッセージを含む集約範囲;のうち、少なくとも１つを含むことを特徴とする、請求項１５に記載のメッセージ運用を支援する端末機。
【請求項１８】
前記制御部は、
前記開始メッセージ及び最終メッセージのうちのいずれか１つを指定したタッチイベントが変更された移動タッチイベントを前記集約を指示する入力信号として受信し、前記入力信号によって前記集約範囲のメッセージを集約し、
前記表示部は、
前記マルチタッチイベントのうちで前記移動タッチイベント方向に位置した開始メッセージまたは最終メッセージ位置に前記集約メッセージを出力し、前記集約メッセージを他のメッセージと区分されるように表示することを特徴とする、請求項１５に記載のメッセージ運用を支援する端末機。
【請求項１９】
前記表示部は、
前記集約範囲に含まれた開始メッセージ及び最終メッセージのうちで少なくとも１つを指定するためのマルチタッチイベントを受信する時、前記マルチタッチイベントによって指定されたメッセージと同一使用者識別情報を有するメッセージを他のメッセージと区分されるように表示することを特徴とする、請求項１５に記載のメッセージ運用を支援する端末機。
【請求項２０】
上記入力手段は、
開始メッセージ及び最終メッセージに定義される一定範囲の開始メッセージを選択するタッチイベント;
現在画面に表示されていない最終メッセージを検索するためのスクロールイベント;
前記スクロールイベントによって現在画面に表示された前記最終メッセージを選択するタッチイベント;
を生成することを特徴とする、請求項１３に記載のメッセージ運用を支援する端末機。
【請求項２１】
前記表示部は、
前記選択された開始メッセージを含む領域と前記最終メッセージ検索のためのスクロールイベントが入力される領域を分割して表示することを特徴とする、請求項２０に記載のメッセージ運用を支援する端末機。
【請求項２２】
前記入力手段は、
片側に表示された前記集約メッセージを分離させるための事前定義された入力信号を生成し、
前記制御部は、
前記集約メッセージを貯蔵する時、共に貯蔵される各メッセージの時間情報及び現在表示された他のメッセージの時間情報を確認して前記時間情報を基づいて前記集約メッセージを分離して再整列して表示されるように制御することを特徴とする、請求項１３に記載のメッセージ運用を支援する端末機。
【請求項２３】
前記入力手段は、
前記集約メッセージを送信するための入力信号を生成し、
前記制御部は、
前記入力信号受信によって前記集約メッセージを前記メッセージグループに属した複数の使用者のうちで少なくとも１つの使用者の端末機、入力信号によって指定された特定使用者の端末機、前記複数個のメッセージを集約するように支援する端末機が運用する特定アプリケーションのうちで少なくとも１つに伝達することを特徴とする、請求項１３に記載のメッセージ運用を支援する端末機。
【請求項２４】
前記入力手段は、
前記集約メッセージが表示された領域上で発生する既設定されたタッチイベントを生成し、
前記制御部は、
前記既設定されたタッチイベントが指定した一部内容を含むメッセージを前記集約メッセージから削除することを特徴とする、請求項１３に記載のメッセージ運用を支援する端末機。
【請求項２５】
複数個のメッセージを出力する過程;
前記複数個のメッセージのうちで集約するメッセージの一定範囲を指定する既設定された入力イベントを受信する過程;
前記入力イベントによって複数個のメッセージのうちで前記一定範囲に含まれたメッセージを集約する過程;を含むことを特徴とする、メッセージ運用方法。
【請求項２６】
複数個のメッセージを出力する表示部;
前記複数個のメッセージのうちで集約するメッセージの一定範囲を指定する既設定された入力イベントを生成する入力部及び入力機能の前記表示部;
前記入力イベントによって複数個のメッセージのうちで前記一定範囲に含まれたメッセージを集約して集約メッセージを生成する制御部;を含むことを特徴とする、メッセージ運用を支援する端末機。
【請求項２７】
複数個のメッセージの開始メッセージ及び最終メッセージを指定するためのマルチタッチイベントを受信する過程;
前記開始メッセージと前記最終メッセージの間にメッセージの使用者識別情報を確認する過程;
同一使用者識別情報別でメッセージを集約して集約メッセージとして出力する過程;を含むことを特徴とする、メッセージ運用方法。
【発明の詳細な説明】
【技術分野】
【０００１】
本発明は端末機のメッセージ運用に関し、特に端末機のメッセージサービスを介して提供される複数個のメッセージを使用者が希望する形態で集約、分離、送信及び編集するように支援するメッセージ運用方法及びこれを支援する端末機に関する。
【背景技術】
【０００２】
最初電子機器は、作業者のより便利であり、かつ安全な作業支援及び使用者の便利な生活支援のために開発されて普及された。このような電子機器は最近使用者のより潤沢な生活支援のために開発されて普及される趨勢である。例えば、端末機は使用者の場所と時間の制限無しにコンテンツをより容易に再生するように支援して使用者の時間使用效率をより效果的に支援することができる。
【０００３】
一方、端末機は固有した機能として他の端末機使用者との通信機能を支援する。これによって従来端末機使用者は端末機を用いて他の端末機使用者と特定情報を送受信することができる。特に、近年、メッセージサービスが普遍化されながら使用者はメッセージサービス機能を基盤で多様なメッセージを送受信している。特に、メッセージサービス機能のうちでメッセンジャー機能などは少なくとも１つの使用者をグループ員とするチャットルームを開設するように支援し、当該のチャットルームを介して多様な情報を送受信することができるように支援する。
【０００４】
しかし、従来の提供されるメッセージサービスは単純に送受信したメッセージを１つの画面にリアルタイムで表示してくれる機能のみを提供するから使用者の希望によってメッセージを加工するなどのサービスが提供されることができない。これによってメッセージサービス利用時の使用者の要求によってより適応的なメッセージ運用を行うように支援する技術の模索が要求されている。
【発明の概要】
【発明が解決しようとする課題】
【０００５】
したがって、本発明の目的は、前述されたような従来技術の問題点を解決するためのもので、少なくとも１つの使用者がメッセージを送受信したメッセージ環境で使用者が希望するメッセージの集約、分離、送信及び編集をより容易であり、かつ簡便にできるように支援することができるメッセージ運用方法及びこれを支援する端末機を提供することである。
【課題を解決するための手段】
【０００６】
上記目的を達成するための本発明は、複数個のメッセージを出力する過程、上記複数個のメッセージを集約するように指示する既設定された入力イベントを受信する過程、上記入力イベントによって複数個のメッセージのうちで少なくとも一部を集約するが、少なくとも１つの同一使用者ＩＤ別で集約して集約メッセージを生成する集約過程を含むことを特徴とするメッセージ運用方法の構成を開示する。
【０００７】
本発明はさらに、複数個のメッセージを集約するように指示する既設定された入力イベントを生成する入力部及び入力機能の表示部のうちで少なくとも１つを含む入力手段、上記入力イベントによって複数個のメッセージのうちで少なくとも一部を集約するが、少なくとも１つの同一使用者の識別情報別で集約して集約メッセージを生成する制御部、上記複数個のメッセージ及び上記集約メッセージを出力する表示部を含むことを特徴とするメッセージ運用を支援する端末機の構成を開示する。
【０００８】
本発明はさらに、複数個のメッセージを出力する過程、上記複数個のメッセージのうちで集約するメッセージの一定範囲を指定する既設定された入力イベント受信過程、上記入力イベントによって複数個のメッセージのうちで上記一定範囲に含まれたメッセージを集約する過程を含むことを特徴とするメッセージ運用方法の構成を開示する。
【０００９】
本発明はさらに、複数個のメッセージを出力する表示部、上記複数個のメッセージのうちで集約するメッセージの一定範囲を指定する既設定された入力イベントを生成する入力部及び入力機能の上記表示部、上記入力イベントによって複数個のメッセージのうちで上記一定範囲に含まれたメッセージを集約して集約メッセージを生成する制御部を含むことを特徴とするメッセージ運用を支援する端末機の構成を開示する。
【発明の効果】
【００１０】
以上で前述したように本発明によるメッセージ運用方法及びこれを支援する端末機によれば、本発明は少なくとも一人の使用者が参与するメッセージサービスにおいて使用者が希望するメッセージだけの集約、集約されたメッセージの送信、集約されたメッセージの分離及び集約されたメッセージの編集をより容易であり、かつ簡便に行うように支援することができる。
【図面の簡単な説明】
【００１１】
【図１】本発明の実施例によるメッセージ運用を支援する端末機の構成を概略的に示した図面である。
【図２】図１の制御部構成をより詳しく示した図面である。
【図３】本発明の実施例によるメッセージ運用方法を説明するためのフローチャート図である。
【図４】本発明の第1実施例によるメッセージ集約機能説明のための画面例示図である。
【図５】本発明の第２実施例によるメッセージ集約機能説明のための画面例示図である。
【図６】本発明の第２実施例によるメッセージ集約機能説明のための他の画面例示図である。
【図７】本発明の第３実施例によるメッセージ集約機能説明のための画面例示図である。
【図８】本発明の実施例によるメッセージ分離機能説明のための画面例示図である。
【図９】本発明の実施例によるメッセージ編集機能説明のための画面例示図である。
【図１０】本発明の実施例によるメッセージ集約機能の他の一例を説明するための画面例示図である。
【図１１】本発明の実施例によるメッセージ集約機能のまた他の一例を説明するための図面である。
【図１２】本発明の実施例によるメッセージ集約機能の多様な形態に対する説明のための図面である。
【発明を実施するための形態】
【００１２】
以下、本発明の実施例を添付図面に基づいて詳しく説明する。
【００１３】
実施例を説明することにおいて本発明が属する技術分野によく知られており、本発明と直接的に関連がない記述内容に対しては説明を省略する。また、実質的に同一構成と機能を有する構成要素に対しては詳細な説明を省略する。
【００１４】
同一の理由で添付図面において一部構成要素は誇張されたり省略されたり、或いは概略的に示され、各構成要素の大きさは実際大きさを全的に反映するものではない。したがって本発明は添付した図面に示された相対的な大きさや間隔によって制限されられない。
【００１５】
図１は本発明の実施例によるメッセージ運用機能を支援する端末機の構成を概略的に示された図面である。
【００１６】
図１を参照すれば、本発明の端末機１００は、通信部１１０、入力部１２０、オーディオ処理部１３０、表示部１４０、貯蔵部１５０及び制御部１６０の構成を含むことができる。ここで上記入力部１２０及び入力機能の表示部１４０のうちで少なくとも１つは本発明の端末機１００入力手段としても運用されることができる。
【００１７】
このような構成を含む本発明の端末機１００は、送受信されたメッセージのうちで希望する特定使用者のメッセージの少なくとも一部をより容易であり、かつ簡便に集約するように支援することができる。また、上記端末機１００は集約されたメッセージを他の端末機使用者へ提供することによって情報をより容易に知らせるように支援する。また、上記端末機１００は集約されたメッセージの内容を簡便に編集するように支援し、必要によって集約されたメッセージの分離を行って原本メッセージ画面を維持するように支援することができる。
【００１８】
これのために通信部１１０は、少なくとも１つの他の端末機とメッセージを送受信するチャットルーム開設、或いはメッセージグループ開設のための通信チャンネルを形成することができる。特に通信部１１０は他の端末機とＰ２Ｐ方式で通信チャンネルを形成し、それぞれのＰ２Ｐ方式で連結された他の端末機とのメッセージグループ開設を支援することができる。または、通信部１１０は特定サーバー装置を中心に当該のサーバー装置が提供するメッセージグループを利用して他の端末機とメッセージ送受信を行うように通信チャンネルを形成することができる。このような通信部１１０は上述したように少なくとも１つの他の端末機と通信チャンネルを形成したり特定サーバーと通信チャンネルを形成することができる特定通信方式を支援する形態の通信モジュールから構成されることができる。例えば上記通信部１１０は移動通信モジュールから構成されることができ、２Ｇ、３Ｇ、４Ｇ、５Ｇなど多様な通信方式基盤のメッセージ送受信を支援する形態から構成されることができる。したがって、上述した通信部１１０は特定通信方式や通信モジュールの形態で限定されるものではなく、少なくとも１つの他の端末機とメッセージを送受信することができる通信チャンネルを形成することができる構成に理解されるべきでしょう。本発明のメッセージ集約機能が適用される特定機能はチャットサービス機能、文字メッセージ機能、電子メール送受信機能など多様なメッセージ送受信機能のうちで少なくとも１つを含むことができる。
【００１９】
入力部１２０は上記端末機１００運用に必要な多様な入力信号を生成する構成である。このような入力部１２０は端末機１００の互換可能であるか否かによってキーボードやキーパッド、キボトンなどの多様な入力手段から構成されることができる。また、上記入力部１２０は上記表示部１４０がタッチスクリーンで提供される場合、タッチスクリーンに出力されるタッチマップの形態から構成されることもできる。例えば、入力部１２０は３＊４キーマップ、５＊４キーマップ、クウォーティーキーマップ、ドヴォラックキーマップなど多様なキーマップのうちで少なくとも１つの形態から構成されることができる。
【００２０】
上述した入力部１２０は、メッセージグループを生成するための入力信号、または特定メッセージグループに参与するための入力信号、参与したメッセージグループで多様なメッセージを作成して送信するように要請する入力信号などを生成することができる。特に入力部１２０は本発明の実施例によるメッセージグループから送受信されたメッセージのうちで少なくとも一部を集約するための入力信号、集約されたメッセージに他の端末機のうちで指定された、或いは少なくとも１つの端末機に送信するように要請する入力信号、集約されたメッセージを元々の形態で分離するための入力信号、集約されたメッセージの内容一部を簡便に編集するための入力信号などを生成することができる。
【００２１】
ここで上記各メッセージ集約、分離、送信及び編集に係る機能を行うための入力信号は既存メッセージグループ過程で運用されるように設定された特定入力信号、例えばシングルタッチ機能と区分されるように支援しながらもより便利な機能運用のためにマルチタッチ方式で具現されることができる。上記メッセージ集約、分離、送信及び編集に係るメッセージ運用のための入力信号発生に対しては後述する図面を参照してより詳しく説明する。一方、生成された入力信号は制御部１６０に伝達され、各入力信号による機能遂行のために命令語に利用されることができる。
【００２２】
オーディオ処理部１３０は、端末機１００の運用過程で設定された多様なオーディオデータ及び貯蔵部１５０に貯蔵されたオーディオファイル再生によるオーディオデータ、外部から受信されたオーディオデータなどを出力することができる。またオーディオ処理部１３０はオーディオデータ収集機能を支援することができる。これのためにオーディオ処理部１３０はスピーカー(ＳＰＫ)とマイク(ＭＩＣ)を含むことができる。
【００２３】
特に、オーディオ処理部１３０はメッセージグループ運用過程で発生する多様な效果音や案内音の出力を支援することができる。例えば、オーディオ処理部１３０はメッセージグループ運用過程のうちで他の端末機使用者が入力したメッセージ受信を知らせる效果音や案内音、メッセージグループ開設、或いは終了や退場などに係る效果音や案内音の出力を支援する。またオーディオ処理部１３０はメッセージ集約成功時、ここに対応する案内音や效果音、メッセージ分離、送信及び編集に係る案内音や效果音出力を支援することができる。実質的に上述したメッセージ運用機能はタッチパネルを基盤とするタッチイベントによって行われることができるので、上述した效果音や案内音などはタッチイベント発生と共に提供されることができる。一方、上述した效果音や案内音出力は使用者設定や設計者意図によって変わることができる。
【００２４】
上記表示部１４０は、端末機１００運用に必要な多様な画面インターフェースを提供する構成である。例えば上記表示部１４０は端末機１００運用に必要な待機画面、メニュー画面などを支援する。このような本発明の表示部１４０はタッチパネルと表示パネルを含んで構成されることができる。一方、表示部１４０は本発明の実施例によるメッセージ関連運用機能を支援するための多様な画面インターフェースを提供することができる。
【００２５】
基本的に表示部１４０は、メッセージグループのメッセージ送受信状態を示すメッセージ基本画面、メッセージ作成のためのメッセージ作成画面などを提供することができる。そして表示部１４０は、メッセージ基本画面が出力された状態で使用者制御によってメッセージ集約機能支援を適用した画面変更、集約メッセージ分離機能支援を適用した画面変更、集約メッセージ送信機能支援を適用した画面変更及び集約メッセージ編集機能を適用した画面変更を支援することができる。
【００２６】
上記表示部１４０は、上述した各機能支援のために別途の画面転換を支援することもできるが、追加的なページ転換を通じる深さ(ｄｅｐｔｈ)変化を減らして現在画面で集約メッセージ関連機能を処理するように支援することができる。これによって使用者は集約メッセージ関連機能運用時のメッセージ基本画面を介して処理することによってメッセージ基本画面を閲覧しながら多様な集約メッセージ関連機能を処理することができる。上述した表示部１４０で提供される画面インターフェースの例示に対して後述する図面を参照してより詳しく説明する。
【００２７】
上記貯蔵部１５０は、端末機１００運用に必要な多様な基本運営体制及び多様な使用者機能に該当するデータまたは応用プログラムとアルゴリズムなどを貯蔵することができる。特に上記貯蔵部１５０は本発明の集約メッセージ関連機能支援のためのメッセージ運用プログラム１５１及び当該のプログラム運用を介して生成された集約メッセージ１５３を貯蔵することができる。
【００２８】
上記メッセージ運用プログラム１５１は、メッセージ基本機能、例えば他の端末機１：１または多数とメッセージを送受信することができる機能を支援する。これのためにメッセージ運用プログラム１５１は他の端末機の住所情報を基盤で他の端末機とメッセージ通信チャンネルを形成するルーチン、メッセージ通信チャンネル形成と共にメッセージ送受信状態を現わすメッセージ基本画面を支援するルーチン、メッセージ基本画面が出力された状態で送受信されるメッセージを更新するルーチンを含むことができる。
【００２９】
特に、メッセージ運用プログラム１５１は、本発明の集約メッセージ関連機能支援のためにメッセージ集約機能支援ルーチン、集約メッセージ分離機能支援ルーチン、集約メッセージ送信機能支援ルーチン及び集約メッセージ編集機能支援ルーチンを含むことができる。上述した各ルーチンは制御部１６０の呼出によって制御部１６０にロードされて当該のルーチンによる機能遂行を支援するのに利用されることができる。これによって上記各ルーチンの駆動に対して制御部１６０説明と共により詳しく説明する。
【００３０】
集約メッセージ１５３は、メッセージ運用プログラム１５１活性化によってメッセージ機能が活性化された状態でメッセージ集約指示に従って特定メッセージが集約された場合、貯蔵されたメッセージとなることができる。また、集約メッセージ１５３は他の使用者が集約して送信したメッセージとなることができる。このような集約メッセージ１５３は集約された内容だけではなく集約される以前のメッセージログ情報を含むことができる。すなわち、集約メッセージ１５３は集約される以前メッセージの表示部画面上での位置関係、メッセージが受信された時間情報、メッセージを送信した使用者情報、メッセージの大きさ情報のうちで少なくとも１つを含むことができる。このような情報を基づいて集約メッセージ１５３は分離機能、送信機能及び編集機能を支援する。
【００３１】
上記制御部１６０は、本発明の端末機１００運用に必要な電源供給とデータ処理及び伝達を支援する。特に、上記制御部１６０は本発明の集約メッセージ関連機能支援のために図２に示されたような構成を含むことができる。
【００３２】
図２は本発明の実施例による集約メッセージ関連機能支援のための端末機１００の制御部１６０構成をより詳しく示した図面である。
【００３３】
図２を参照すれば、本発明の制御部１６０はメッセージ画面処理部１６１、メッセージ集約部１６３、メッセージ送信支援部１６５、メッセージ分離支援部１６７及びメッセージ編集支援部１６９を含むことができる。このような構成は貯蔵部１５０に貯蔵されたメッセージ運用プログラム１５１活性化によって各ルーチンが制御部１６０にロードされて構成されることができる。
【００３４】
メッセージ画面処理部１６１は、メッセージ運用による画面を処理する構成である。このようなメッセージ画面処理部１６１はメッセージ運用活性化を要請するイベントが発生するとメッセージ基本画面を表示部１４０に出力するように支援する。ここでメッセージ基本画面は少なくとも１つの他の使用者と送受信したメッセージ、或いは自分が少なくとも１つの他の使用者に送信したメッセージを出力した画面となることができる。
【００３５】
一方、メッセージ画面処理部１６１は、メッセージ基本画面が出力された状態で入力部１２０または入力機能の表示部１４０からメッセージ集約、集約メッセージ分離、集約メッセージ送信及び集約メッセージ編集に係る入力信号が発生すれば、当該の入力信号による結果をメッセージ基本画面に出力して基本画面を変更するように支援することができる。また、メッセージ画面処理部１６１は上述した入力信号による機能遂行時の必要なイメージ效果を画面に適用するように支援することができる。この時、メッセージ画面処理部１６１は集約されたメッセージを他のメッセージと区分するために集約メッセージを指示する特定イメージ效果を提供することができる。このようなメッセージ画面処理部１６１による画面変化などに対して後述する画面例示図を参照してより詳しく説明する。
【００３６】
メッセージ集約部１６３は、本発明のメッセージ運用機能のうちで複数個のメッセージを集約する機能を支援する構成である。このようなメッセージ集約部１６３は事前定義された特定入力信号、例えばメッセージ基本画面に表示されたメッセージのうちで集約する特定使用者のメッセージの範囲を指定する開始メッセージ及び最終メッセージ指定のための事前定義された特定タッチイベント、例えばダブルタップイベント、マルチタッチイベントなどを収集することができる。メッセージ集約部１６３は上述したマルチタッチイベントが収集された以後、当該の範囲以内のメッセージを集約するように指示する特定タッチイベントを収集すると、集約指示に従って開始メッセージ及び最終メッセージの間にメッセージを集約するように制御することができる。この時、メッセージ集約部１６３は使用者設定によって特定タッチイベントによって指定された開始メッセージ及び最終メッセージの間にメッセージのうちで特定使用者のメッセージのみを集約することができる。すなわち、メッセージ集約部１６３は設定によって開始メッセージ及び最終メッセージの間の多数の使用者のうちで指定された特定使用者を除いた他の使用者のメッセージを除去して特定タッチイベントによって指定された使用者のメッセージを集約して集約メッセージを生成することができる。生成された集約メッセージは貯蔵部１５０に貯蔵されることができる。ここで集約可能なメッセージは、メッセージ基本画面に出力される、或いは出力可能な全体メッセージとして端末機１００使用者が入力したメッセージだけではなく当該のメッセージグループに属した他の使用者が入力したメッセージ共に含むことができる。
【００３７】
一方、上記メッセージ集約部１６３は、特定タッチイベントまたは事前設定によって指定された開始メッセージと最終メッセージの使用者が異なる場合、開始メッセージと最終メッセージの間のメッセージを集約するが各使用者別でメッセージを集約して複数個の集約メッセージを生成するように支援することができる。また上記メッセージ集約部１６３は指定された開始メッセージと最終メッセージの間に多数の使用者のメッセージがある場合、当該のメッセージをそれぞれ区分して集約メッセージを生成するように支援することができる。そしてメッセージ集約部１６３は複数個の集約メッセージを事前定義された規則に従ってメッセージ基本画面上に配置するように支援することができる。例えばメッセージ集約部１６３は複数個の集約メッセージのうちで最初に受信されたメッセージの受信時間によって順次に羅列されたり、メッセージを送信した使用者名前を基準として整列することができる。
【００３８】
ただ、メッセージ集約部１６３は、システム設計者の設計意図によってまたは使用者設定によってマルチタッチイベントによって互いに異なる使用者が送ったメッセージを選択した状況に対するエラーメッセージを出力するように制御することもできる。または、メッセージ集約部１６３は特定タッチイベントがマルチタッチイベントの場合、マルチタッチイベントのうちで１番目のタッチイベントによって特定使用者の送信したメッセージが選択されると、他の使用者の送信したメッセージは選択されないように制御することもできる。
【００３９】
一方、メッセージ集約部１６３は、上述した入力方式外に事前設定による入力方式を支援することもできる。これをより詳しく説明すれば、メッセージ集約部１６３はメッセージ集約のための範囲設定のために設けた多様な集約設定項目を含むメニューを出力するように支援することができる。ここで集約設定項目は「現在画面に見えるメッセージを範囲で指定する項目」、「選択されたメッセージから現在まで入力されたメッセージを範囲で指定する項目」、「選択されたメッセージの受信日付に送信されたメッセージを範囲で指定する項目」などを含むことができる。このような集約設定項目は表示形態と時間区分のうちで少なくとも１つによって集約するメッセージの範囲を設定する項目となることができる。使用者はこのような設定メニューを利用して集約するメッセージの範囲を事前定義し、特定入力イベントを生成して事前設定された範囲のメッセージを集約するように運用することができる。
【００４０】
メッセージ送信支援部１６５は、端末機１００使用者のメッセージ入力を支援するために仮想の入力部及び当該の入力部を介して入力されるメッセージを出力する出力部を表示部１４０の一側に出力したり、ハードウェアキーから入力された入力信号によって作成されるメッセージを表示部１４０の一側に出力するように支援することができる。そしてメッセージ送信支援部１６５は作成されたメッセージを送信するように要請受ける場合、少なくとも１つの他の使用者の端末機に送信したりメッセージグループを支援するサーバー装置を介して他の端末機に送信するように支援することができる。特に、メッセージ送信支援部１６５は集約メッセージ送信を指示受ける場合、当該の集約メッセージに他の端末機または特定サーバー装置に送信するように支援することができる。この時、メッセージ送信支援部１６５は既存にあるメッセージを集約した集約メッセージを選択する場合、該当の集約メッセージ送信のためのメニュー出力を介してメッセージ送信を簡単に行うように支援することができる。または、メッセージ送信支援部１６５は集約メッセージ送信のための別途のメニューの出力無しに事前定義された一定入力信号、例えばメッセージ基本画面に出力された集約メッセージを２回選択するダブルタップ入力信号発生、または当該のメッセージをタッチダウンした以後のスワイプ(ｓｗｉｐｅ)する入力信号発生があれば指示された集約メッセージに他の端末機に直接的にまたはメッセージ機能支援のサーバー装置を介して他の端末機に送信するように支援することができる。メッセージ送信支援部１６５は集約メッセージに他の端末機に送信することだけではなく当該の端末機の他のアプリケーションに伝達することもできる。すなわちメッセージ送信支援部１６５は使用者制御によってチャットサービスチャンネルで集約された集約メッセージを文字メッセージ作成応用プログラムに伝達したり電子メール作成アプリケーションに伝達することができる。またはメッセージ送信支援部１６５は集約メッセージをメモ帳アプリケーションや暦又はスケジュール応用プログラムにも伝達することができる。
【００４１】
集約メッセージを伝達する過程でメッセージ送信支援部１６５は送信されるメッセージに対して集約メッセージなのを認知することができる情報を含んで伝達することができる。そしてこの時、提供される集約メッセージは先立って言及したように集約以前のメッセージそれぞれに対する情報を含むことによって集約メッセージの各メッセージの構成情報を基盤で編集するように支援する。
【００４２】
メッセージ分離支援部１６７は、集約メッセージを分離するように支援する構成である。このようなメッセージ分離支援部１６７は特定集約メッセージを分離するように指示する入力信号、例えば集約メッセージが出力された表示部１４０の当該のメッセージ上で発生するピンチズームイベント収集時、集約メッセージを分離するように支援する。この時、メッセージ分離支援部１６７は集約メッセージに含まれた情報、例えば集約メッセージを構成するメッセージの各時間の情報を基づいてメッセージ基本画面に表示中の他のメッセージの間に配置されるように支援することができる。ここでメッセージ分離支援部１６７は集約メッセージの分離機能支援のためにメニュー出力を支援することができ、メニュー出力支援のために集約メッセージ選択時分離機能項目をメニュー項目として出力するように支援することもできる。分離機能項目を含むメニュー項目は集約されないメッセージ選択時の出力されるメニュー項目には含まれないこともある。
【００４３】
メッセージ編集支援部１６９は、集約メッセージの一部内容を編集するように支援する構成である。このようなメッセージ編集支援部１６９は特定集約メッセージ編集を支援するために編集窓出力を支援することもできるが、より早くかつ簡便な方法で集約メッセージの編集を行うように支援することができる。一般的に、メッセージグループに多数の使用者が参与する場合、送受信されるメッセージの更新がリアルタイムに行われれば表示部１４０の大きさが限定的な携帯端末機の場合、メッセージ編集のための機能がメッセージ確認機能を利用する過程で負担をかけ得る。これによって、本発明はメッセージ編集機能支援時、より早くかつ便利な方法でメッセージ編集を簡単に行うようにすることによって、メッセージの集約と編集などを容易に処理するように支援することができる。例えば、メッセージ編集支援部１６９は集約メッセージ上で発生する特定入力信号発生によって集約メッセージのうちで少なくとも一部メッセージを削除する機能のみを支援することができる。このため、メッセージ編集支援部１６９は集約メッセージのうちで削除指示が発生した場合、集約される以前の基本メッセージ単位で集約メッセージから削除されるように支援することができる。これに対して後述する画面例示図を参照してより詳しく説明する。
【００４４】
上述したように本発明の実施例による端末機１００は少なくとも１つの使用者とメッセージを送受信するメッセージ環境で、使用者が希望するメッセージの集約、集約されたメッセージの原復のための分離機能、集約メッセージの送信機能及び集約メッセージの編集機能を既存基本メッセージ機能は支援しながらもより便利に運用するように支援することができる。これによって本発明の端末機１００はより多様なメッセージ運用機能の活用を介して使用者の便宜性を増大させることができる。例えば本発明の端末機１００はメッセージを特定使用者にフォワーディングしたり貯蔵部に貯蔵しようとする場合、メッセージを特定使用者別で集約して貯蔵することによってフォワーディングや貯蔵をより容易にできるように支援する。また、本発明の端末機１００は集約メッセージの編集と送信機能をメッセージ基本画面で処理するように支援してより便利なメッセージ運用を行うように支援することができる。
【００４５】
図３は本発明の実施例によるメッセージ運用方法を説明するためのフローチャートである。
【００４６】
図３を参照すれば、本発明のメッセージ運用方法はまず、端末機１００の制御部１６０が３0１段階で電源部から供給される電源を端末機１００運用のために分配するように支援する。以後、制御部１６０は既設定されたスケジュール情報によって待機画面を表示部１４０に出力したり特定使用者機能を活性化するように制御することができる。
【００４７】
一方、制御部１６０は入力部１２０からまたは入力機能の表示部１４０から入力信号が発生すれば、３０３段階で当該の入力信号がメッセージ機能を活性化するための入力信号なのか否かを確認することができる。この過程で制御部１６０は該当の入力信号がメッセージ機能支援のための入力信号ではない場合、３０５段階へ分岐して入力信号による使用者機能遂行を支援することができる。例えば制御部１６０は入力信号の種類によって特定ファイル検索機能、ファイル再生機能、ファイル送信機能、通話機能、放送受信機能、カメラ機能など端末機１００が支援することができる機能を行うように支援する。
【００４８】
一方、発生された入力信号がメッセージ機能のための入力信号の場合、制御部１６０はメッセージ機能支援のためのメッセージ基本画面を表示部１４０に出力するように支援することができる。そして制御部１６０は特定入力信号が発生すると、３０７段階へ分岐して当該の入力信号が事前定義された特定入力信号例えば、第1マルチタッチイベントなのか否かを確認することができる。この段階で第1マルチタッチイベントに該当する入力信号が発生すれば制御部１６０は３０９段階へ分岐して使用者別メッセージフィルターリング及び集約機能を支援することができる。
【００４９】
これをより詳しく説明すれば、制御部１６０は第1マルチタッチイベントによって指示された一定範囲のメッセージを確認し、第1マルチタッチイベントによって指定された一定範囲の開始メッセージと最終メッセージを集約するのに、開始メッセージと最終メッセージに該当する使用者以外の他の使用者のメッセージを除外させてメッセージを集約するように制御することができる。すなわち、制御部１６０は使用者フィルタリングを介して特定使用者のメッセージのみを集約するように制御することができる。または、制御部１６０は第1マルチタッチイベントによって指定されたメッセージの使用者が異なる場合、前述したように第1マルチタッチイベントによって指定された一定範囲の使用者メッセージを各使用者別で集約して集約メッセージを生成することができる。
【００５０】
または、制御部１６０は設計者の設計方式に従って第1マルチタッチイベントによって指定されたメッセージの使用者を確認し、確認された使用者のメッセージのみを集約するように制御することができる。例えば、第1マルチタッチイベントが使用者が異なる２つのメッセージを一定範囲の開始メッセージと最終メッセージと指定する場合、指定された２つのメッセージ使用者のメッセージのみを集約するように支援し、一定範囲内の他の使用者のメッセージはフィルタリングして除外させるように制御することができる。メッセージ集約によって生成された集約メッセージは貯蔵部１５０に貯蔵される一方、メッセージ基本画面の一定位置に出力されることができる。
【００５１】
上述した説明で第１マルチタッチイベントは本発明のメッセージ集約及び集約メッセージ関連機能遂行のために新しく定義する入力信号として、システム設計者の意図によって既存にメッセージ機能支援のために割り当てた特定タッチイベント、例えばシングルタップイベント、シングルロングプレスイベント、シングルドラッグイベントなどで置き換えられることもできる。例えば、第1マルチタッチイベントがシングルタップイベントに変更される場合、使用者は集約するメッセージの開始メッセージ指示のためのシングルタップイベント及び最終メッセージ指示のためのシングルタップイベントを生成することができ、追加的に集約を指示する特定タッチイベントを生成することができる。シングルロングプレスイベントとシングルドラッグイベントの場合、使用者は特定メッセージを指示するためにロングプレスイベントを発生させ、集約するメッセージの一定範囲指示のために移動タッチイベント、例えばドラッグイベントを発生させることができる。それでは制御部１６０はロングプレスイベントによって指示された開始メッセージとドラッグイベントによって指示された他のメッセージを集約するが特定使用者のみのメッセージを集約したり、使用者別でメッセージを集約するように支援することができる。
【００５２】
一方、上述した第1マルチタッチイベントは事前定義された範囲設定によって他の入力イベントに変更されることもできる。すなわち、現在表示された画面に含まれたメッセージをメッセージの集約範囲に設定された場合、第1マルチタッチイベントは特定メッセージを選択した後、当該のメッセージに係るメッセージを集約するための特定入力イベントで置き換えられることができる。例えば、使用者は特定メッセージを２回連続タッチするダブルタップや一定時間以上タッチするロングプレスを介して現在画面に表示されたメッセージを少なくとも一部メッセージを集約するように指示することができる。この時、制御部１６０は現在画面に表示されたメッセージのうちで入力イベントによって選択された特定メッセージと同一使用者識別情報を有した他のメッセージを集約するように制御することができる。ここで上記使用者識別情報は、例えばメッセージ送受信に利用された使用者ＩＤ、当該のメッセージ送受信に利用された電話番号、当該のメッセージ送受信に利用されたＩＰ情報のうちで少なくとも１つを含むことができる。一方、制御部１６０は事前定義された範囲設定によって集約範囲を特定日付に選択されたメッセージと使用者がＩＤが同一メッセージ全体、選択されたメッセージから現在まで受信された同一使用者ＩＤを有したメッセージで指定することもできる。
【００５３】
一方、制御部１６０は３０７段階で発生した特定入力信号がメッセージ集約のために事前定義された第1マルチタッチイベントではない場合、３１１段階へ分岐して当該の入力信号が集約メッセージの送信、分離及び編集のためのイベントなのか否かを確認する。この段階で制御部１６０は該当の入力信号が集約メッセージ関連機能のための入力信号ではない場合、３１３段階へ分岐して当該のイベントによる機能遂行を支援することができる。例えば、端末機１００は入力信号によるメッセージ作成及び送信機能を行ったり、他の端末機使用者がアップロードしたファイルをダウンロードするなどの過程を行うことができる。
【００５４】
３１１段階で集約メッセージ関連機能のための入力信号が発生すれば、制御部１６０は３１５段階へ分岐して当該の入力信号による集約メッセージ関連機能遂行を支援することができる。これをより詳しく説明すれば、制御部１６０は入力信号によって集約されたメッセージの時間情報とメッセージ基本画面に出力中のメッセージの時間情報を確認し、集約されたメッセージに含まれた基本メッセージを時間情報の間の位置によって再配置されるように制御することができる。また、制御部１６０は入力信号によって集約されたメッセージをメッセージグループに属した使用者のうちで少なくとも１つの使用者または端末機使用者が指定された特定使用者に送信するように支援することができる。また、制御部１６０は入力信号によって集約されたメッセージの少なくとも一部内容を削除するように支援することができる。
【００５５】
次に制御部１６０は３１７段階へ分岐して機能終了のための入力信号発生があるのか否かを確認し、当該の入力信号発生がある場合、３０７段階以前へ分岐して以下過程を再遂行するように支援することができる。または制御部１６０は機能終了のための入力信号発生がある場合、当該の機能を終了するように支援することができる。そして制御部１６０は３０１段階以前へ分岐して端末機１００の終了のための入力信号発生がある前まで以下過程を再遂行するように支援することができる。
【００５６】
以上では本発明の実施例によるメッセージ集約及び集約メッセージ関連機能を行う端末機１００及び端末機の運用方法に対して説明した。以下では上述した端末機１００がメッセージ集約及び集約メッセージ関連機能遂行過程で提供することができる画面例示図の一例を例示的に説明する。
【００５７】
図４は本発明の第１実施例によるメッセージ集約機能を説明するための図面である。
【００５８】
図４を参照すれば、端末機１００の制御部１６０は入力部１２０及び入力機能の表示部１４０からメッセージ機能活性化のための入力信号が発生したり他の使用者からメッセージ機能活性化を要請受けてこれを受諾する場合、４０１画面のようにメッセージ基本画面４００を表示部１４０に出力することができる。メッセージ基本画面４００は示したように多数の使用者を含むメッセージグループに多数の使用者が送信したメッセージを出力することができる。またメッセージ基本画面４００は端末機１００使用者の入力したメッセージは右側に配置することによって受信されたメッセージと送信したメッセージの区分が容易にできるように支援することができる。
【００５９】
一方、使用者はメッセージ基本画面４００上で特定メッセージを集約するための入力信号を生成することができる。例えば、使用者は第４１１メッセージ（４１１）及び第４１２メッセージ（４１２）を選択するための第1マルチタッチイベントを入力機能の表示部１４０上で行うことができる。そして使用者は第４１１メッセージ（４１１）及び第４１２メッセージ（４１２）範囲にあるメッセージを集約することを指示するイベント、例えば第４１１メッセージ（４１１）を選択したタッチダウンイベントを第４１２メッセージ（４１２）方向へドラッグするタッチイベントに変形するための動作を行うことができる。制御部１６０は第４１１メッセージ（４１１）を選択したタッチイベントがドラッグイベントで変形されて第４１２メッセージ（４１２）を選択したタッチイベントと一定距離以内で近くなる場合、４０３画面のように第４１１メッセージ（４１１）及び第４１２メッセージ（４１２）が指示した一定範囲内のメッセージを集約して集約メッセージ４０を生成し、これを表示部１４０に出力するように支援することができる。または、第４１２メッセージ（４１２）選択タッチイベントが維持された状態で第４１１メッセージ（４１１）選択イベントを第４１２メッセージ（４１２）方向へのフリックイベントに変形したりスワイプイベントに変形する場合、制御部１６０は当該の信号をメッセージ集約を指示する入力信号で判断することができる。または、第４１１メッセージ(４１１)及び第４１２メッセージ(４１２)選択イベントを解除する解除イベントが発生する場合、制御部１６０は当該の入力信号をメッセージ集約のための入力信号で判断することができる。
【００６０】
上記制御部１６０はメッセージの集約過程で第４１１メッセージ(４１１)及び第４１２メッセージ（４１２）を送信した使用者と異なる使用者のメッセージ、例えば第４１３メッセージ（４１３）は集約されるメッセージから除外させて、残りメッセージのみを集約して集約メッセージ４０を生成することができる。一方、制御部１６０は集約メッセージ４０を出力する位置を一定位置、例えば第４１２メッセージ(４１２)が出力された位置に出力することができる。
【００６１】
上記制御部１６０は第１マルチタッチイベント発生によって第４１１メッセージ(４１１)及び第４１２メッセージ(４１２)を選択すると、４０5画面のように集約されたメッセージはハイライトしたり別途のイメージ效果を提供してどんなメッセージが集約されるはずなのかを使用者がより容易に確認するように支援することができる。また、制御部１６０は当該のメッセージの使用者以外のメッセージは曇るように、或いは相対的に暗く表示するように制御することもできる。また制御部１６０は特定メッセージが集約された集約メッセージなのを指示するために４０７画面のように集約メッセージ４０にマーク４１を割り当てたり、特定イメージ效果を提供することができる。
【００６２】
一方、４０５画面及び４０７画面は基本的に４０1画面及び４０３画面のような一メッセージ集約機能を支援する説明である。ただ第４１１メッセージ(４１１)及び第４１２メッセージ(４１２)選択のための第１マルチタッチイベント発生以後、集約メッセージ４０の位置を異なるようにするために第４１２メッセージ(４１２)を選択したタッチイベントを変形する例を示したものである。すなわち、使用者は第４１２メッセージ(４１２)を選択したタッチイベントを変形して第４１１メッセージ(４１１)が出力された位置にドラッグしたり、フリックしたり、スワイプするタッチ移動動作を行うことができる。それでは制御部１６０は第４１１メッセージ(４１１)及び第４１２メッセージ(４１２)で定義された一定内のメッセージを集約して集約メッセージ４０を生成して出力するのに、示されたように第４１１メッセージ(４１１)が出力された位置に集約メッセージ４０を出力するように支援することができる。
【００６３】
図５及び図６は本発明の第２実施例によるメッセージ集約機能を説明するための図面である。
【００６４】
先ず、図５を参照すれば、端末機１００は送受信されるメッセージのうちで少なくとも一部内容を表示部１４０に出力することができる。すなわち５０１画面のように全体送受信されたメッセージがあっても、表示部１４０の限界のため制御部１６０は５０３画面のように全体送受信されたメッセージのうちで一部メッセージだけで構成されたメッセージ基本画面５１０を表示部１４０に出力するように支援することができる。
【００６５】
一方、使用者はメッセージ基本画面５１０を介してメッセージ機能を行う過程で現在メッセージ基本画面５１０に出力されないメッセージまでも含む集約メッセージを生成することを希望することができる。この場合、使用者は５０３画面のようにメッセージ基本画面５１０に表示されないメッセージまで含んで集約メッセージを生成するための入力信号、例えば第２マルチタッチイベントを生成することができる。第２マルチタッチイベントは、例えば示されたようにメッセージ基本画面５１０上にダブルタップ以後、1つのタップを変形して移動タッチイベントに該当するドラッグイベントを生成する動作によるタッチイベントなどになることができる。この時、移動タッチイベントはメッセージ基本画面５１０を横方向に割るスプリット(ｓｐｌｉｔ)動作のためのドラッグ動作によって生成されることができる。一方、本発明の第２マルチタッチイベントが上述した特定タッチイベントとして限定されるものではなく設計者の設計方式の変更や使用者の設定変更などによって多様なタッチイベントなどで置き換えられ変更されることができる。
【００６６】
制御部１６０は第２マルチタッチイベントが発生すると、メッセージ集約のために５０５画面と同一画面変形を支援することができる。これをより詳しく説明すれば制御部１６０は第２マルチタッチイベントのうちで第５１１メッセージ(５１１）を選択したタッチイベントを含む一定領域を区分するために第1分割画面５１０を提供し、全体メッセージのうちで集約しようとする他のメッセージを検索するため第２分割画面５２０を提供することができる。
【００６７】
それでは使用者は第２分割画面５２０上からスクロールイベントを発生させて全体メッセージを検索することができる。制御部１６０は第２分割画面５２０上で発生するスクロールイベントによって全体メッセージリストのうちで他のメッセージリストが第２分割画面５２０に出力されるように支援することができる。この時、第５１１メッセージ(５１１）を選択したタッチイベントはタッチ状態を維持するように支援することができる。もし使用者がメッセージ集約機能を取り消そうとする場合、第５１１メッセージ(５１１）選択イベントを解除する動作を行うことができ、制御部１６０は第２分割画面５２０上に何のメッセージ選択イベントなしに第５１１メッセージ(５１１）選択イベントが解除されればメッセージ集約機能解除で認識して５０３画面へ復帰するように制御することができる。
【００６８】
一方、５０１画面に示した全体メッセージリストのうちにメッセージ基本画面５００に出力されなかったメッセージがスクロールイベントによって第２分割画面５２０に出力されることができる。この過程で使用者は５０７画面のように特定第５１２メッセージ(５１２)を選択した以後、これを集約するための入力信号を生成することができる。例えば、使用者は第５１２メッセージ(５１２)選択後、一定方向への移動タッチイベント、例えばドラッグイベントまたはフリックやスワイプイベントを生成することができる。特に、使用者は第２分割画面５２０上で発生した第５１２メッセージ(５１２)選択イベントを変形したタッチイベントを第1分割画面５１０までつながるように動作することができる。制御部１６０は第２分割画面５２０及び第1分割画面５１０を経るタッチイベントが発生すると、第２分割画面５２０で選択された第５１２メッセージ(５１２)と第５１１メッセージ(５１１）の間に含まれたメッセージを集約して集約メッセージを生成するように支援することができる。そして制御部１６０は当該の集約メッセージ５０を５０９画面のように表示部１４０に出力することができる。集約メッセージ５０の生成及び出力と共に制御部１６０は分割された画面を１つの画面で表示するように制御することができる。
【００６９】
一方、上記制御部１６０は上述した集約メッセージ生成過程で多様なイメージ效果を提供することもできる。これを図６を参照してより詳しく説明する。先ず、図６は実質的に図５で説明したメッセージ集約機能と類似の機能を支援する。ただ図６で説明されるメッセージ集約機能は第１分割画面６１０が表示部１４０の上側に位置する場合を例示したものである。これのために使用者は表示部１４０の上側で前述した第２マルチタッチイベントと類似のタッチイベントを生成するように動作することができる。それでは制御部１６０は第１分割画面６１０を表示部１４０の上側に位置させて全体メッセージを検索するための第２分割画面６２０を第１分割画面６１０の下に位置するように制御することができる。
【００７０】
一方、図６に示されたように、メッセージ集約機能を支援する過程で制御部１６０は集約しようとするメッセージ選択時、当該のメッセージをハイライトしたり６０３画面のようにメッセージに特定イメージ效果６３を提供することができる。すなわち特定使用者が送信したメッセージそれぞれ特定イメージ效果６３が提供されることができる。実質的にこのようなイメージ效果６３は６０３画面に示した特定使用者のメッセージだけではなく６０１画面に示したように特定使用者が送信した受信したメッセージ全体に提供されることができる。また上述したイメージ效果６３は分割された画面にも適用されることができる。すなわち６０５画面及び６０７画面のように第１分割画面６１０及び第２分割画面６２０が提供された状態で、第1分割画面６１０に表示された第６１２メッセージ(６１２)にイメージ效果６３が提供されることができ、スクロールによって第２分割画面６２０でメッセージ項目が変更される過程で第６１２メッセージ（６１２）と同一使用者を有した第６１３メッセージ(６１３)及び第６１１メッセージ(６１１)にもイメージ效果６３が提供されることができる。
【００７１】
一方、６０７画面で第1分割画面６１０に出力された第６１２メッセージ（６１２）と第２分割画面６２０に出力された第６１１メッセージ（６１１）を集約するように制御する入力信号が発生すると制御部１６０は６０９画面のように集約メッセージ６０を表示部１４０上に出力するように支援する。この時、制御部１６０は該当のメッセージが集約メッセージなのを指示するマーク６１を一定位置に出力することができる。または、制御部１６０は別途のマーク６１提供なしに当該の集約メッセージ６０の色相を異なるようにしたり形態を異なるようにすることによって集約メッセージなのを認識するように支援することができる。すなわち制御部１６０は集約するように指示されるメッセージを他のメッセージと区分されるようにする色及び形態のうちで少なくとも１つを異なるようにするように制御することができ、また集約メッセージ６０を他のメッセージと区分されるように色及び形態のうちで少なくとも１つを異なるようにするように制御することができる。
【００７２】
図７は本発明の第３実施例によるメッセージ集約機能を説明するための図面である。
【００７３】
図７を参照すれば、先ず表示部１４０は少なくとも１つの使用者と送受信したメッセージを含むメッセージ基本画面７００を７０１画面のように出力することができる。この状態で使用者はメッセージ集約のために事前定義された第３マルチタッチイベントを生成することができる。例えば、示されたように特定使用者が送信した第７１１メッセージ(７１１)をダブルタッチしてこれを維持するダブルロングプレス(ｄｏｕｂｌｅ ｌｏｎｇ ｐｒｅｓｓ)タッチイベントを生成すると、制御部１６０は７０３画面のように選択された第７１１メッセージ(７１１)と同一使用者を有するメッセージのみを含むメッセージ収集画面７５０表示部１４０上に出力するように支援することができる。この時、制御部１６０は別途の画面転換を行わずメッセージ基本画面７００上に上記メッセージ収集画面７５０をオーバレイさせて出力することができ、この過程で制御部１６０はメッセージ収集画面７５０を半透明するように提供してメッセージ基本画面７００がメッセージ収集画面７５０を通じて見えるように支援することができる。
【００７４】
一方、使用者は第７１１メッセージ(７１１)を選択するために維持する第１タッチイベント７１及び第２タッチイベント７２のうちのいずれか１つをドラッグイベントで転換して集約しようとする特定メッセージ、例えば第７１２メッセージ(７１２)を指示することができる。結果的に第２タッチイベント７２は第７１３メッセージ(７１３)及び第７１４メッセージ(７１４)を経て第７１２メッセージ(７１２)を指示するタッチドラッグ動作に該当するタッチイベントとなることができる。そして使用者がタッチドラッグ動作以後、タッチ解除動作を行う場合、制御部１６０は第1タッチイベント７１及びタッチドラッグ動作によって移動された第２タッチイベント７２の間に位置するメッセージ、すなわち第７１１メッセージ乃至第７１４メッセージ(７１１、７１２、７１３、７１４)を集約するように制御することができる。以後、制御部１６０は生成された集約メッセージ７０を７０５画面のように一定位置に出力するように支援することができる。ここで制御部１６０はタッチドラッグ動作によって第７１２メッセージ(７１２)以後の領域に位置したスクロールを指示する仮想制御キー７５上で第３タッチイベント７３が生成されると一定速度で画面を移動させて上記特定使用者が送信した他のメッセージをスクロール移動によって表示部１４０上に出力するように支援することができる。ここで第３タッチイベント７３は最初第２タッチイベント７２がドラッグイベントによって位置変更されるタッチイベントとなることができる。一方、制御部１６０はスクロールイベントによって画面が変更されながら第７１１メッセージ(７１１)を表示部１４０上で除去するように支援したり、または第７１３メッセージ(７１３)及び第７１４メッセージ(７１４)は表示部１４０上で除去しても第７１１メッセージ(７１１)は画面の特定位置、例えば第１タッチイベント７１が維持される位置に維持するように制御することができる。
【００７５】
図８は本発明の実施例によるメッセージ運用機能のうちでメッセージ分離機能を説明するための図面である。
【００７６】
図８を参照すれば、本発明の端末機１００は８０１画面のように集約メッセージ８０を含んだ画面を表示部１４０上に出力することができる。この過程で使用者は集約メッセージ８０を分離することを希望することができ、これのために示されたような第４マルチタッチイベントを生成することができる。例えば、使用者は集約メッセージ８０の２つの地点をタッチした後、互いに反対される方向、或いは互いに向かい合う方向へのドラッグを行うピンチズーム動作を行うことができる。または、使用者は集約メッセージ９０の２つの地点をタッチした後、特定方向にドラッグ動作、例えば同一方向へのドラッグ遂行によるタッチイベント生成を制御することができる。
【００７７】
集約メッセージ８０上で第４マルチタッチイベントが生成されると、制御部１６０は８０３画面のように集約メッセージ８０を分離して一定位置に整列することができる。これのために制御部１６０は集約メッセージ８０を構成する各基本メッセージに対する情報を貯蔵部１５０に貯蔵された情報を介して確認するが、特に基本メッセージの時間情報を確認することができる。また制御部１６０は集約メッセージ８０を構成した開始メッセージと最終メッセージの時間情報内に含まれる他の使用者のメッセージの時間情報を確認する。以後、制御部１６０は集約メッセージ８０に含まれた基本メッセージの時間情報及び他の使用者が送信したメッセージの時間情報を基盤でメッセージが時間整列されるように制御することができる。８０３画面に出力されたメッセージはこのような時間情報を基づいた整列された形態を示したものである。
【００７８】
図９は本発明の実施例によるメッセージ運用機能のうちでメッセージ編集機能を説明するための図面である。
【００７９】
図９を参照すれば、制御部１６０は９０１画面のように集約メッセージ９０を表示部１４０上に出力することができる。集約メッセージ９０は端末機使用者が生成したメッセージとか他の使用者が送信したメッセージのうちのいずれか１つとなることができる。特に９０１画面に示した集約メッセージ９０は４個の基本メッセージを集約して生成したメッセージである。すなわち集約メッセージ９０は第１基本メッセージ９１、第２基本メッセージ９２、第３基本メッセージ９３及び第４基本メッセージ９４を含んだ集約メッセージとなることができる。
【００８０】
一方、使用者はメッセージ集約過程で特定使用者のメッセージを集約して集約メッセージ９０を生成したが、当該のメッセージ内容のうちで一部メッセージを除去することを希望することができる。それでは使用者は除去しようとする基本メッセージを選択するタッチイベントと共に特定方向のスワイプ(ｓｗｉｐｅ)またはフリックイベントを生成する動作を行うことができる。例えば、使用者は第４基本メッセージ９４を選択して一定方向にフリックする動作を行うことができる。制御部１６０は第４基本メッセージ９４上で既設定された特定イベント、例えばスワイプイベントが発生すると、第４基本メッセージ９４を集約メッセージ９０で除去するように制御することができる。これによって制御部１６０は９０３画面のように第４基本メッセージ９４が除去された集約メッセージ９９を表示部１４０上に出力することができる。
【００８１】
上述した集約メッセージ編集機能は多様なイモティコンや仮想のステッカー、特定単語や文字などに対応するイメージなどを含むメッセージオプションイメージを支援するメッセージ環境で必要な情報のみを集約するための実用的な機能を支援することができる。すなわち上述したメッセージオプションイメージは一般テキストメッセージに比べて伝達しようとする内容は少ない一方、画面で占める表示の割合は大きいから集約されたメッセージで不必要に多くの空間を占めながらも内容伝達を歪曲する余地がある。本発明の端末機１００は上述した簡単な編集動作だけで使用者が除去させようとする基本メッセージを除去させることによって作成された集約メッセージを使用者が希望する形態で容易に構成するように支援する。ここで本発明は改行文字もデフォルトで除去して集約メッセージの不必要な文章の間のスペースを除去するように支援することができる。  
【００８２】
図１０は本発明の実施例による集約メッセージ生成機能のうちで範囲事前設定によるメッセージ集約を説明するための図面である。
【００８３】
図１０を参照すれば、使用者が集約メッセージ生成機能のためにメッセージの集約範囲を現在画面で設定した状態で既設定された入力イベントを生成すると、端末機１００は入力イベントに対応して集約メッセージを生成するように支援することができる。この過程で１００１画面はメッセージ集約のための集約範囲設定を現在画面で設定した状態に該当することができる。端末機１００は使用者の集約範囲設定のためのメニューを提供することができ、またホットキーやサイドキーボリュームキーなどに集約範囲設定項目を変更することができる項目を割り当てることができる。そして端末機１００は使用者の集約範囲設定のための要請が発生すると、集約範囲設定のための画面を提供したりホットキー運用を支援することができる。
【００８４】
それでは使用者はデフォルトで端末機１００に設定された集約範囲を利用したり、自分が直接特定集約範囲を設定することができる。例えば、使用者はメッセージを選択した時点に画面上に見えるメッセージ共を集約範囲で設定することができる。または使用者は選択されたメッセージの受信時点から集約を行う時点まで送受信されたメッセージ、選択されたメッセージの送受信日付に送信されたメッセージ、選択されたメッセージの前あるいは後に送信されたメッセージのうちで一定個数ほどなどで集約範囲を設定することができる。すなわち本発明の端末機１００は集約範囲設定のための過程で現在画面に表示されたメッセージを集約範囲で設定する過程、上記複数のメッセージのうちで選択された特定メッセージから最近受信されたメッセージを集約範囲で設定する過程、特定日付に送信されたメッセージを集約範囲で設定する過程、上記複数のメッセージのうちで選択されたメッセージの前あるいは後に配置されたメッセージのうちで事前定義された一定個数ほどを集約範囲で設定する過程のうちで少なくとも１つの過程を行うように支援することができる。
【００８５】
一方、集約範囲設定が現在表示された画面に含まれたメッセージを設定された以後、使用者は既設定された特定入力イベント、例えば使用者が集約しようとする特定メッセージ１０１０をダブルタッチする入力イベントを生成することができる。それでは端末機１００は現在画面に表示された全体メッセージのうちで入力イベントによって選択されたメッセージと同一使用者ＩＤを有したメッセージを集約して１００３画面のように集約メッセージ４０として表示することができる。これのために端末機１００は現在画面に表示されたメッセージに対する情報を収集し、入力イベントによって選択された特定メッセージの使用者ＩＤを確認した後、当該の画面に表示されたメッセージのうちで同一使用者ＩＤを有したメッセージを自動集約するように制御することができる。
【００８６】
上述したダブルタッチは２個以上のタッチでメッセージが表示される領域をタッチダウンした後、真下で一定長さほどをドラッグする動作などに変更されることができ、提案したタッチ動作は既存に使用されるタッチと区別されることができる。制御部１６０は特定タッチ動作と集約設定項目をマッチングさせることができるように支援することができる。これによって使用者が特定ジェスチャー動作を行う場合、端末機１００は複数個のメッセージを集約して提供するように支援することができる。このような機能はそれぞれ他のタッチ動作で状況に合う集約方法を選択可能にするという利点がある。
【００８７】
一方、端末機１００はメッセージ集約によって表示部領域のうちでテキストやイメージが空いている空間が生ずる場合、他のメッセージで該当の空間を満たすように制御することができる。例えば端末機１００は示されたようにメッセージの集約によって画面に表示されなかったメッセージが画面に表示されるように支援することができる。特に端末機１００は集約メッセージ４０の時間を基準に以前に受信されたメッセージ及び以後に受信されたメッセージをそれぞれ表示部１４０に出力するように支援することができる。ここで集約メッセージが最近メッセージを含む場合、端末機１００はメッセージ集約による画面空いた空間に以前に受信されたメッセージが表示部１４０に追加にさらに出力することができる。
【００８８】
図１1は本発明の実施例による集約メッセージ生成機能のうちで範囲事前設定によるメッセージ集約の他の例を説明するための図面である。
【００８９】
図１1を参照すれば、端末機１００の制御部１６０は入力部１２０及び入力機能の表示部１４０からメッセージ機能活性化のための入力信号が発生したり、他の使用者からメッセージ機能活性化を要請受けてこれを受諾する場合、１１０３画面のようにメッセージ基本画面１１００を表示部１４０に出力することができる。メッセージ基本画面１１００は示されたように多数の使用者を含むメッセージグループに多数の使用者が送信したメッセージを出力することができる。またメッセージ基本画面１１００は端末機１００使用者の入力したメッセージは右側に配置することによって受信されたメッセージと送信したメッセージの区分が容易にできるように支援することができる。ここで１１０３画面に表示されたメッセージ画面は１１０１画面に示した多数のメッセージのうちで一部メッセージのみを示したものである。
【００９０】
一方、端末機１００はデフォルトで集約範囲が設定されたことで仮定する。これのために使用者は集約範囲設定項目を活性化して特定項目を選択したり集約範囲を入力することができる。図１1では使用者が選択した選択メッセージから最近受信されたメッセージまでを集約範囲で設定した状態を示したものである。端末機１００はこのような集約範囲を設定することができる項目を提供して使用者選択によって当該の機能適用を支援することができる。
【００９１】
一方、端末機１００は１１０３画面のように全体受信されたメッセージのうちで一部メッセージのみを表示部１４０に出力することができ、使用者のメッセージスクロ−ルリングなどによって最近受信されたメッセージ以外に以前に受信されて現在画面に表示されないメッセージを検索及び確認することができる。以後、使用者がメッセージ検索のうちで集約の開始部分となるメッセージを検索すると使用者は１１０３画面のように開始メッセージ１１１１を選択するための特定タッチ動作、例えば開始メッセージ１１１１の３地点をタッチするマルチタッチイベントを生成する動作を行うことができる。以後、使用者が集約メッセージ生成のために事前定義された動作によって示されたように３地点マルチタッチを下方向にドラッグする動作を行うことができる。
【００９２】
端末機１００は開始メッセージ１１１１を選択する３地点マルチタッチイベントと下方向のドラッグイベント収集時、開始メッセージ１１１１から最近受信されたメッセージの間の特定メッセージを集約するように制御することができる。この過程で端末機１００は開始メッセージ１１１１と最近メッセージの間のメッセージのうちで開始メッセージ１１１１と同一使用者ＩＤを有したメッセージのみをフィルタリングし、これを集約して集約メッセージを生成することができる。生成された集約メッセージ１１１０は１１０５画面のように表示部１４０に表示されることができる。
【００９３】
一方、端末機１００は使用者が開始メッセージ１１１１に対して３地点マルチタッチイベントを生成する場合、一定方向にドラッグ動作を案内することによって集約メッセージを生成することができることを案内メッセージなどで表示部１４０に出力することができる。使用者はこれを確認してメッセージ集約のための動作を正確に行うことができる。
【００９４】
図１２は本発明の実施例によるメッセージ集約環境のうち１：１環境でのメッセージ集約を説明するための図面である。
【００９５】
図１２を参照すれば、特定使用者は他の使用者と文字メッセージやチャットメッセージなどを送受信することができ、送受信されるメッセージは１２０１画面に示されたように送信側と受信側が相互区分されるように表示されることができる。この時、提供されるメッセージ画面には送信側と受信側の１:１環境として説明するが本発明がここに限定されるものではない。すなわちメッセージ送信機能のうちでクラウドサービスなどに自分の情報をメモするために一方的に送信側のメッセージのみを入力するように支援する機能でも本発明が適用されることができるでしょう。この場合、１２０１画面で「Ｂ」使用者または「Ａ」使用者のメッセージ出力のない状況になることができる。
【００９６】
一方、使用者は一定範囲に出力された送信メッセージ、または送受信メッセージを集約するために既設定されたタッチイベントを生成するための動作を行うことができる。それでは端末機１００は当該のタッチイベントに対応してメッセージ集約を行うことができる。ここで端末機１００は事前設定によって１２０３画面のように「Ａ」側メッセージのみを集約して集約メッセージを生成したり、１２０５画面のように「Ａ」側「Ｂ」側メッセージを集約して集約メッセージをそれぞれ生成することができる。また、端末機１００は１２０７画面のように「Ａ、Ｂ」側を共に含む１つの集約メッセージを生成することもできる。
【００９７】
以上で説明したように本発明の実施例によるメッセージ運用方法とこれを支援する端末機及びこのため画面インターフェースはメッセージ運用機能においてメッセージ集約機能、集約されたメッセージ分離機能、送信機能及び編集機能遂行をより簡単であり、かつ容易に運用するように支援する。これによって本発明は多くの量のメッセージを送受信しなければならない環境でも使用者が希望するメッセージの集約及び集約関連機能をより便利でありかつ早く運用するように支援する。
【００９８】
一方、上述した画面インターフェースではメッセージ集約、分離及び編集機能に対してだけ示したが、本発明がここに限定されるものではない。すなわち上記端末機１００はメッセージ送信機能支援のために集約メッセージ選択時、送信項目を含むオプション窓を出力することができ、送信項目選択時、他の使用者が指定した特定使用者に集約メッセージを送信するように支援することができる。
【００９９】
一方、上述した端末機１００はその提供形態によって多様な追加モジュールをさらに含むことができる。すなわち上記端末機１００は通信端末機の場合、近距離通信のための近距離通信モジュール、上記端末機１００の有線通信方式または無線通信方式によるデータ送受信のためのインターフェース、インターネットネットワークと通信してインターネット機能を行うインターネット通信モジュール及びデジタル放送受信と再生機能を行うデジタル放送モジュールなどのように上記で言及されない構成をさらに含むこともできる。このような構成要素はデジタル器機のコンバージェンス(ｃｏｎｖｅｒｇｅｎｃｅ)趨勢によって変形が非常に多様で皆列挙することはできないが、上記言及された構成要素と同等な水準の構成要素が上記デバイスに追加でさらに含まれて構成されることができる。また、本発明の端末機１００はその提供形態によって上記の構成で特定構成が除外されたり他の構成で置き換えられることもできることは勿論である。これは本技術分野の通常の知識を有した者には容易に理解されることができるでしょう。
【０１００】
また本発明の実施例による上記端末機１００はメッセージ機能を支援するすべての形態のデバイスを含むことができる。例えば、上記端末機１００は多様な通信システムに対応される通信プロトコル(ｃｏｍｍｕｎｉｃａｔｉｏｎ  ｐｒｏｔｏｃｏｌｓ)に基づいて動作するすべての移動通信端末機(ｍｏｂｉｌｅ  ｃｏｍｍｕｎｉｃａｔｉｏｎ  ｔｅｒｍｉｎａｌｓ)を始め、ＰＭ(Ｐｏｒｔａｂｌｅ  Ｍｕｌｔｉｍｅｄｉａ  Ｐｌａｙｅｒ)、デジタル放送プレーヤー、ＰＤＡ(Ｐｅｒｓｏｎａｌ  Ｄｉｇｉｔａｌ  Ａｓｓｉｓｔａｎｔ)、音楽再生機(例えば、ＭＰ３プレーヤー)、携帯ゲーム端末、スマートフォン(Ｓｍａｒｔ  Ｐｈｏｎｅ)、ノート・ブック(Ｎｏｔｅｂｏｏｋ)及びハンドヘルドＰＣなどすべての情報通信器機とマルチメディア及びそれに対する応用器機を含むことができる。
【０１０１】
一方、本明細書と図面を介して本発明の好ましい実施例に対して説明した。たとえ特定用語が使用されたが、これはただ本発明の記述内容を容易に説明して発明の理解を助けるための一般的な意味で使用されたものであるだけ、本発明の範囲を限定しようとするのではない。ここに開示された実施例以外にも本発明の技術的思想に基づいた他の変形例が実施可能であるということは本発明が属する技術分野で通常の知識を有する者に自明なものである。
【符号の説明】
【０１０２】
１００  端末機
１１０  通信部
１２０  入力部
１３０  オーディオ処理部
１４０  表示部
１５０  貯蔵部
１６０  制御部
【図１】
2014044723.tif 000003
【図２】
2014044723.tif 000004
【図３】
2014044723.tif 000005
【図４】
2014044723.tif 000006
【図５】
2014044723.tif 000007
【図６】
2014044723.tif 000008
【図７】
2014044723.tif 000009
【図８】
2014044723.tif 000010
【図９】
2014044723.tif 000011
【図１０】
2014044723.tif 000012
【図１１】
2014044723.tif 000013
【図１２】
2014044723.tif 000014